(57)【要約】      （修正有）【課題】デットスペースがなく、均一に攪拌でき、糞尿等の有機廃棄物を安定して処理できる装置の提供。【解決手段】ピットの中に水平に主攪拌羽根５と副攪拌羽根を有する撹拌軸２を複数設置し、主攪拌羽根が有機廃棄物とオガクズを円周軌跡回転攪拌と円周運動の切線方向の前への運送、副攪拌羽根が有機廃棄物とオガクズを円周方向に攪拌と運送をするために、主攪拌羽根とシャフト軸線の間の角度を４５度とし、副攪拌羽根はシャフトの両端とピットの内側の間に配置し、ピットの外側にはヒーターを設けた。【選択図】図１
2007125551.tif 000002
【特許請求の範囲】
【請求項１】
発動機、カバー、シャフト、羽根、伝動装置、ヒーター、コントロール・プログラム、ピットの中に微生物を有する為のオガクズと投入された糞尿等の有機廃棄物を含む有機廃棄物処理装置であって、シャフト（２）が水平にピットの中に固定され、シャフトの延長端で隙間を開けて主スクリュー（５）と副スクリューが設置され、主スクリューは糞尿等の有機廃棄物とオガクズを円周軌跡で混ぜ返すようにかき混ぜると円周運動で切線方向の前に運送し、副スクリューは糞尿等の有機廃棄物とオガクズを円周方向にかき混ぜて運送し、主スクリューの羽根は長細い形で、羽根の長さの方向とシャフトの表面を垂直している、羽根の平面とシャフトの軸の間の角度は４５度であって、近くの二つ羽根の平面とシャフトの軸の間の角度の差は１８０度であって、副スクリューはシャフトの両端とカバー（１）の内側に配置され、カバーの下の外側にヒーター（１２）を付けており、ヒーターはカバーの中の温度を微生物の分解に適合な温度に保持していることを特徴とする有機廃棄物処理装置。
【請求項２】
請求項１に記載の有機廃棄物処理装置であって、前記シャフトが多数のシャフトを均一にピットの中に構成され、近くの二つシャフトの回転方向が違い、近くの二つシャフトの主スクリューの羽根は縦横いり込んでいることを特徴とする有機廃棄物処理装置。
【請求項３】
請求項１または２に記載の有機廃棄物処理装置であって、前記多数の主スクリュー羽根が多数の羽根で構成され、羽根がシャフトの円周でシャフトの長さの方向に均一に分布されていることを特徴とする有機廃棄物処理装置。
【請求項４】
請求項１に記載の有機廃棄物処理装置であって、前記副スクリュー羽根が攪拌軸（１０）、補佐軸（３）、多数の羽根で構成、攪拌軸とシャフトの表面は垂直に設置され、補佐軸は半円形の帯の形で攪拌軸の両端に固定され、多数の羽根が攪拌軸に設置され、ピットの中に突き出ていることを特徴とする有機廃棄物処理装置。
【請求項５】
請求項１に記載の有機廃棄物処理装置であって、前記コントロール・プログラム（６）が温度コントロールと定時コントロールで構成され、温度コントロールはヒーターでピットの中の温度をコントロールで調整し、ピットの中の温度は６０度〜７０度の範囲で保持され、温度コントロールのセンサーはピットの中の温度が６０度より低い場合は温度コントロールがヒーターの電源をつけてピットを加熱し、もし温度コントロールのセンサーはピットの中の温度が７０度より高い場合は温度コントロールがヒーターの電源を閉じてピットの加熱を停止し、定時コントロールはスイッチがあり、使用時スイッチ（１６）で処理装置をコントロールし、電源をつける時に定時コントロールが発動機のモーター（９）をつけて、モーターのプラスとマイナスの交替時間を設定し、モーターが設定する時間順位でプラスとマイナス、電源を閉じる時に定時コントロールがモーターの電源を閉じることを特徴とする有機廃棄物処理装置。
【発明の詳細な説明】
【技術分野】
【０００１】
本発明は人畜の糞便等の有機廃棄物の処理装置にかかわる。
【背景技術】
【０００２】
現在ある特許技術から提供された微生物で人畜の糞便等有機廃棄物を分解する処理装置は、処理ピットの中にシャフトを水平につけて、シャフトで外側運送羽根と内側運送羽根と周方向スクリューを支えて、外側運送羽根は螺旋状でシャフトの螺旋帯をまわって、それを隙間の延長方向を通じてたくさんに分割して、シャフトの軸に装置、シャフトの中部を境で両側に配置、両側の螺旋帯の螺旋方向が違って、ピットの外面にヒーターをつけて、それでピットの中にある微生物を分解の為に必要な温度を保持する。ピットの中にオガクズがあり、有機廃棄物がピットの中に投入すると、シャフトが軸の羽をつれてオガクズと有機廃棄物と一緒に混じって微生物を分解する。上述技術は、外側運送羽根は螺旋状でシャフトの螺旋帯をまわって、シャフトの軸に装置の為、回転の途中で安定性不足及び壊す等の問題が発生しやすい。
【発明の開示】
【発明が解決しようとする課題】
【０００３】
本発明の目的は定時的にプラスとマイナス回転出来る有機廃棄物処理装置を提供することである。この処理装置で人畜の糞便等の有機廃棄物と微生物を有するオガクズを十分に有効的にかき混ぜ、徹底的に分解出来る。
【０００４】
上述目的を実現するため、本発明技術の解決方法は：有機廃棄物処理装置の構成は発動機、カバー、シャフト、羽根、伝動装置、ヒーター、コントロール・プログラム、ピットの中に微生物を有する為のオガクズと投入された糞尿等の有機廃棄物、特徴はシャフト２が水平にピット１の中に固定されている。シャフト２の表面延長端で隙間を開けて主スクリュー５と副スクリューを設置されている；主スクリュー５は糞尿等の有機廃棄物とオガクズを円周軌跡で混ぜ返すようにかき混ぜると円周運動で切線方向の前に運送、副スクリューは糞尿等の有機廃棄物とオガクズを円周方向にかき混ぜて運送、主スクリューの羽根は長細い形で、羽根の長さの方向とシャフトの表面を垂直している。羽根の平面とシャフトの軸の間の角度は４５度、近くの二つ羽根の平面とシャフトの軸の間の角度の差は１８０度；副スクリューはシャフトの両端とカバーの内側に配置されている；カバーの下の外側にヒーター１２を付けている。ヒーターはカバーの中の温度を微生物の分解に適合な温度に保持している；
本発明で述べたシャフトが多数のシャフトを均一でピットの中に構成、近くの二つシャフトの回転方向が違う、近くの二つシャフトの主スクリューの羽根は縦横いり込んでいる；
本発明で述べた有機廃棄物処理装置について、特徴は述べた多数の主スクリュー羽根が多数の羽根に構成、羽根がシャフトの円周でシャフトの長さの方向に均一に分布されている；
本発明で述べた副スクリューが攪拌軸１０、補佐軸３、多数の羽根４で構成、攪拌軸とシャフトの表面は垂直に設置、補佐軸は半円形の帯の形で攪拌軸の両端に固定、多数の羽根が攪拌軸に設置、ピットの中に突き出ている。
【０００５】
本発明で述べたコントロール・プログラム６が温度コントロールと定時コントロールで構成、温度コントロールはヒーター１２でピットの中の温度をコントロールで調整、ピットの中の温度は６０度〜７０度の範囲で保持、温度コントロールのセンサーはピットの中の温度が６０度より低い場合は温度コントロールがヒーターの電源をつけてピットを加熱する、もし温度コントロールのセンサーはピットの中の温度が７０度より高い場合は温度コントロールがヒーターの電源を閉じてピットの加熱を停止；定時コントロールはスイッチがあり、使用時スイッチ１６で処理装置をコントロール、電源をつける時に定時コントロールが発動機のモーター９をつけて、モーターのプラスとマイナスの交替時間を設定、モーターが設定する時間順位でプラスとマイナス、電源を閉じる時に定時コントロールがモーターの電源を閉じる。
【０００６】
本発明には下記の特長がある：
１、本発明が十分攪拌、隅部の攪拌、デットスペースがなく、糞便等有機廃棄物を十分分解できる；
２、羽が直接シャフトに設置するので、安定性が良い；
３、微生物の分解の最適な温度にコントロール、有機廃棄物の分解に最有効である。
【課題を解決するための手段】
【０００７】
図を参照して、本発明の実施を説明する。
【０００８】
本発明実施例の一は、図の１と図の２のように二つ軸の処理装置である。ステンレスカバー１の上に糞便等有機廃棄物の投入口１４と回収箱の中に分解した糞便等有機廃棄物回収口１１がある。ステンレスカバー１の中に二つスクリュー２が設置、一つスクリュー２に１セット４枚の２セット８枚主スクリュー羽根５が溶接、主スクリューの羽根は長細い形で、羽根の長さの方向とシャフトの表面を垂直している。羽根の平面とシャフトの軸の間の角度は４５度、主スクリュー羽根は軸の長さの真中から２組に分けてシャフトに設置、二つ羽根の平面とシャフトの軸の間の角度の差は１８０度；シャフトの両端に副スクリュー羽根が溶接、副スクリュー羽根が攪拌軸１０、補佐軸３、多数の羽根４で構成、攪拌軸とシャフトの表面は垂直、補佐軸は半円形の帯の形でかき混ぜ軸の両端に固定、半円形の副スクリュー羽根になる。多数の羽根が攪拌軸に設置、羽根がピットの中に突き出ている。モーターが二つのシャフトをつれ、減速箱を通す、そして歯車伝動機構が二つのシャフトをプラスとマイナス回転をされる。ヒータ−１２が均一にステンレスのピット１の下と両端に設置している。コントロール・プログラム６が温度コントロールと定時コントロールで構成、温度コントロールはヒーター１２でピットの中の温度をコントロールで調整、ピットの中の温度は６０度〜７０度の範囲で保持、温度コントロールのセンサーはピットの中の温度が６０度より低い場合は温度コントロールがヒーターの電源をつけてピットを加熱する、もし温度コントロールのセンサーはピットの中の温度が７０度より高い場合は温度コントロールがヒーターの電源を閉じてピットの加熱を停止；定時コントロールはスイッチがあり、使用時スイッチで処理装置をコントロール、電源をつける時に定時コントロールが発動機のモーター９をつけて、モーターのプラスとマイナスの交替時間を設定、モーターが設定する時間順位でプラスとマイナス、電源を閉じる時に定時コントロールがモーターの電源を閉じる。コントロール６が電気コントロール箱の中に集中設置、電気コントロール箱で電気線路のすべての部品をコントロール、全部の操作のコントロールを完成する。
【発明を実施するための最良の形態】
【０００９】
二つのシャフトはモーターの駆動で、主動歯車と伝動歯車を通し、歯車の動きで内側と外側に同時回転できるように実現する。二つシャフト２に溶接された主攪拌羽根５と補佐攪拌羽根３，４，１０回転作業が始まり、投入口１４から入れた人畜の糞便等の有機廃棄物とピット中のオガクズ、菌と分解攪拌、攪拌作業中主攪拌羽根の表面とシャフトの軸の角度は４５度、一歩糞便とオガクズと菌を円周軌跡回転攪拌をさせ、一歩被攪拌物を回転と円周運動で切線方向の前に運送。この時、シャフト両端の補佐攪拌羽根がピットの壁に沿っている被攪拌物を主攪拌羽根の協力で攪拌をさせながら、補佐攪拌軸１０に溶接された羽根４でピットの壁にくっついた被攪拌物をこすり落として、被攪拌物の粘着と固まるのとを防止させる。設計中二つ主軸の主攪拌羽根をお互いに半浸入式の交差仕組みにさせ、被攪拌物の十分均一攪拌できる事を十分保証、デットスペースをなくす。同時に定時コントロールの作用で、モーターが定時にプラスとマイナス回転の交替、二つ軸を内側にプラス回転一周の後を外側にマイナス回転一周をして、リズムありの方向交替連続回転できるように実現、被攪拌物が主攪拌羽根の主導作用と方向交替力の作用で、被攪拌物を図３のように逆８'文字の運動軌跡をさせ、被攪拌物が被攪拌分解の工程中にデットスペースと固まる欠点がないようにさせる。
【００１０】
糞便の分解原理：
ピットの下と両端の壁にヒーター１２が設置される。ピットの中にある被攪拌のオガクズ、菌と糞便の加熱をさせ。温度コントロールで、ピットの中の温度が６０度〜７０度の範囲に保持させ、この温度範囲で糞便がオガクズと菌の中に分解できる最高の条件である。ピットの中にある糞便が十分分解できる最高の効果を獲得する。本実施例は人類糞便の処理に適用される。
【００１１】
図４に組合式トイレ実施例の説明図がある。出入り口１５からトイレを使用時、先ずスイッチ１６を開く、処理装置を作業状態にさせ、糞便は大小便入り口１７，１８から処理装置に入り、シャフトの攪拌で分解処理をされる。ピットを加熱状態で被処理物を分解処理、糞便の中の水分を常に蒸発、発生した水蒸気は換気管１９と換気装置２０でトイレから出し、それと同時に臭いも出す。ピットの中の被処理物が飽和状態になった時に、すぐに交換が必要である。もう一度加入口から新しいオガクズと菌を投入してから再使用。廃棄物の廃棄は廃棄物管２１と機械廃棄出口２２からピット内の飽和状態の廃棄物を取り出し、畑に運送肥料で使用する。
【００１２】
本発明実施例の二は軸一の処理装置である。図５のように、シャフトの上に３組の主攪拌羽根が着き、シャフトと減速を連接、定時コントロールでプラスとマイナス回転の作業時間をコントロール、自動的にプラスとマイナス回転を転換させる。本実施例は体積が小さくて、伝動装置の必要がなく、少量の有機廃棄物の処理に適用である。
【００１３】
本発明実施例の三は軸三の処理装置である。図６のように、三つのシャフトが平行にピットの中に設置され、モーター一台で駆動、中間にあるシャフトの回転方向と両側にあるシャフトの回転方向が相反で；シャフト１本に１組４枚全部で２組８枚の主攪拌羽根が溶接、軸３本は定時コントロールの設定で、定時的にプラスとマイナスの回転を転換、同時に回転作業をし、本実施例は数量が多い有機廃棄物の処理に適用である。
【００１４】
本発明実施例の四は軸四の処理装置である。図７のように、四つのシャフトが平行にピットの中に設置され、モーター二台で駆動、シャフト１本に１組４枚全部で２組８枚の主攪拌羽根が溶接、第一と第三シャフトの回転方向が一致で、第二と第四の回転方向が一致で、第一と三シャフトの回転方向と第二と四シャフトの回転方向が相反で、４本軸が定時コントロールで定時的にプラスとマイナス回転の交換、同時に回転作業をする。本実施例は数量が多い畜類糞便等の有機廃棄物処理に適用である。
【図面の簡単な説明】
【００１５】
本発明は全部で七つ図を添付している。
【図１】本発明二シャフトの実施例構成案内図；
【図２】本発明二シャフトの実施例側面構成案内図；
【図３】本発明ピットの中のオガクズと有機廃棄物攪拌運送の軌跡図；
【図４】本発明がトイレに実施する場合を示す；
【図５】本発明一シャフトの実施例構成案内図；
【図６】本発明三シャフトの実施例構成案内図；
【図７】本発明四シャフトの実施例構成案内図；
【符号の説明】
【００１６】
１、カバー        
２、シャフト      
３、補佐軸      
４、羽根      
５、主スクリュー羽根      
６、コントロール・プログラム      
７、伝動機構      
８、減速箱      
９、モーター      
１０、攪拌軸      
１１、回収口      
１２、ヒーター      
１３、オガクズと微生物      
１４、糞便と有機廃棄物投入口      
１５、出入り口      
１６、スイッチ      
１７、大便入り口      
１８、小便入り口      
１９、換気管      
２０、換気装置      
２１、廃棄物整理用口      
２２、機械整理口      
２３、処理装置      
【図１】
2007125551.tif 000003
【図２】
2007125551.tif 000004
【図３】
2007125551.tif 000005
【図４】
2007125551.tif 000006
【図５】
2007125551.tif 000007
【図６】
2007125551.tif 000008
【図７】
2007125551.tif 000009